(57)【特許請求の範囲】
【請求項１】
第１のディレクトリまたは第１のフォルダに含まれるオブジェクトの一覧を示す一覧図を作成する一覧図作成部と、
前記第１のディレクトリと同じ階層において前記第１のディレクトリと異なる第２のディレクトリまたは前記第１のフォルダと同じ階層において前記第１のフォルダと異なる第２のフォルダが存在するか否かを判別する第１の判別部と、
前記一覧図を表示するモニタと、
前記第１の判別部が前記第２のディレクトリまたは前記第２のフォルダが存在すると判別した場合に、前記一覧図に前記第１のディレクトリまたは前記第１のフォルダの他に前記第１のディレクトリまたは前記第１のフォルダと同じ階層のディレクトリまたはフォルダが存在することを前記モニタに表示する明示情報を作成する明示情報作成部とを備え、
前記モニタに表示された前記一覧図が、前記第１のディレクトリまたは前記第１のフォルダの中における先頭ページである場合において、前記第２のディレクトリまたは前記第２のフォルダが前記第１のディレクトリまたは前記第１のフォルダよりも低い連番である場合には、前記明示情報作成部は第１の明示情報を作成し、
前記モニタに表示された前記一覧図が、前記第１のディレクトリまたは前記第１のフォルダの中における最終ページである場合において、前記第２のディレクトリまたは前記第２のフォルダが前記第１のディレクトリまたは前記第１のフォルダよりも高い連番である場合には、前記明示情報作成部は第２の前記明示情報を作成する
ことを特徴とする一覧図作成システム。
【請求項２】
前記第２のディレクトリまたは前記第２のフォルダがオブジェクトを有しているか否かを判別する第２の判別部を備え、
前記明示情報作成部は、前記第２の判別部が前記第２のディレクトリまたは前記第２のフォルダがオブジェクトを有している場合に、前記一覧図に前記明示情報を作成する
ことを特徴とする請求項１に記載の一覧図作成システム。
【請求項３】
前記第１、第２のディレクトリまたは前記第１、第２のフォルダは、互いに序列を付けられることを特徴とする請求項１または請求項２に記載の一覧図作成システム。
【請求項４】
前記第２のディレクトリまたは前記第２のフォルダの序列が前記第１のディレクトリまたは前記第１のフォルダの序列より先である場合に作成される前記第１の明示情報は、存在するディレクトリまたはフォルダが前記第１のディレクトリまたは前記第１のフォルダより前方の序列であることを示す前方明示情報であることを特徴とする請求項３に記載の一覧図作成システム。
【請求項５】
前記第２のディレクトリまたは前記第２のフォルダの序列が前記第１のディレクトリまたは前記第１のフォルダの序列より後である場合に作成される前記第２の明示情報は、存在するディレクトリまたはフォルダが前記第１のディレクトリまたは前記第１のフォルダより後方の序列であることを示す後方明示情報であることを特徴とする請求項３に記載の一覧図作成システム。
【請求項６】
前記第１のディレクトリまたは前記第１のフォルダに含まれるすべての前記オブジェクトの数が所定の表示サイズに定められた前記一覧図に表示可能なオブジェクトの数を超える場合、前記オブジェクトの一部は第１の前記一覧図に表示され、前記オブジェクトの別の一部は第２の前記一覧図に表示されることを特徴とする請求項１〜請求項５のいずれか１項に記載の一覧図作成システム。
【請求項７】
前記第１の一覧図または前記第２の一覧図が表示されるときに、表示される前記一覧図の順番を示す順番情報を前記一覧図に付加する順番情報付加部を備えることを特徴とする請求項６に記載の一覧図作成システム。
【請求項８】
前記オブジェクトは、画像ファイルであることを特徴とする請求項１〜請求項７のいずれか１項に記載の一覧図作成システム。
【請求項９】
前記一覧図には、前記画像ファイルのサムネイルが表示されることを特徴とする請求項８に記載の一覧図作成システム。
【請求項１０】
第１のディレクトリまたは第１のフォルダに含まれるオブジェクトの一覧を示す一覧図を作成する一覧図作成部と、
前記第１のディレクトリと同じ階層において前記第１のディレクトリと異なる第２のディレクトリまたは前記第１のフォルダと同じ階層において前記第１のフォルダと異なる第２のフォルダが存在するか否かを判別する第１の判別部と、
前記第１の判別部が前記第２のディレクトリまたは前記第２のフォルダが存在すると判別した場合に、前記一覧図に前記第１のディレクトリまたは前記第１のフォルダの他に前記第１のディレクトリまたは前記第１のフォルダと同じ階層のディレクトリまたはフォルダが存在することを示す明示情報を作成する明示情報作成部と、
前記一覧図または前記明示情報を付加した前記一覧図を表示するモニタを備え、
前記モニタに表示された前記一覧図が、前記第１のディレクトリまたは前記第１のフォルダの中における先頭ページである場合において、前記第２のディレクトリまたは前記第２のフォルダが前記第１のディレクトリまたは前記第１のフォルダよりも低い連番である場合には、前記明示情報作成部は第１の明示情報を作成し、
前記モニタに表示された前記一覧図が、前記第１のディレクトリまたは前記第１のフォルダの中における最終ページである場合において、前記第２のディレクトリまたは前記第２のフォルダが前記第１のディレクトリまたは前記第１のフォルダよりも高い連番である場合には、前記明示情報作成部は第２の明示情報を作成する
ことを特徴とするデジタルカメラ。
【請求項１１】
第１のディレクトリまたは第１のフォルダに含まれるオブジェクトの一覧を示す一覧図を作成する一覧図作成部と、
前記第１のディレクトリと同じ階層において前記第１のディレクトリと異なる第２のディレクトリまたは前記第１のフォルダと同じ階層において前記第１のフォルダと異なる第２のフォルダが存在するか否かを判別する第１の判別部と、
前記第１の判別部が前記第２のディレクトリまたは前記第２のフォルダが存在すると判別した場合に、前記一覧図に前記第１のディレクトリまたは前記第１のフォルダの他に前記第１のディレクトリまたは前記第１のフォルダと同じ階層のディレクトリまたはフォルダが存在することを示す明示情報を作成する明示情報作成部としてコンピュータを機能させ、
前記モニタに表示された前記一覧図が、前記第１のディレクトリまたは前記第１のフォルダの中における先頭ページである場合において、前記第２のディレクトリまたは前記第２のフォルダが前記第１のディレクトリまたは前記第１のフォルダよりも低い連番である場合には、前記明示情報作成部は第１の明示情報を作成し、
前記モニタに表示された前記一覧図が、前記第１のディレクトリまたは前記第１のフォルダの中における最終ページである場合において、前記第２のディレクトリまたは前記第２のフォルダが前記第１のディレクトリまたは前記第１のフォルダよりも高い連番である場合には、前記明示情報作成部は第２の明示情報を作成する
ことを特徴とする一覧図作成プログラム。
【請求項１２】
第１のディレクトリまたは第１のフォルダに含まれるオブジェクトの一覧を示す一覧図を作成する作成ステップと、
前記第１のディレクトリと同じ階層において前記第１のディレクトリと異なる第２のディレクトリまたは前記第１のフォルダと同じ階層において前記第１のフォルダと異なる第２のフォルダが存在するか否かを判別する第１の判別ステップと、
前記第１の判別部が前記第２のディレクトリまたは前記第２のフォルダが存在すると判別した場合に、前記一覧図に前記第１のディレクトリまたは前記第１のフォルダの他に前記第１のディレクトリまたは前記第１のフォルダと同じ階層のディレクトリまたはフォルダが存在することを示す明示情報を作成する明示情報作成ステップとを備え、
前記明示情報作成ステップにおいて、前記モニタに表示された前記一覧図が、前記第１のディレクトリまたは前記第１のフォルダの中における先頭ページである場合において、前記第２のディレクトリまたは前記第２のフォルダが前記第１のディレクトリまたは前記第１のフォルダよりも低い連番である場合には、前記明示情報作成部は第１の明示情報を作成し、前記モニタに表示された前記一覧図が、前記第１のディレクトリまたは前記第１のフォルダの中における最終ページである場合において、前記第２のディレクトリまたは前記第２のフォルダが前記第１のディレクトリまたは前記第１のフォルダよりも高い連番である場合には、前記明示情報作成部は第２の明示情報を作成する
ことを特徴とする一覧図作成方法。
【発明の詳細な説明】
【技術分野】
【０００１】
本発明は、パソコンやデジタルカメラのモニタに表示する、ディレクトリなどに含まれる複数のオブジェクトの一覧図を作成する一覧図作成システムに関する。
【背景技術】
【０００２】
近年、電子データを格納するメモリの格納容量の大型化が進んでいる。格納容量が大きくなると格納するデータファイルの数を増やせるが、データファイルの数が多くなると、検索に手間がかかることが問題となる。
【０００３】
例えば、デジタルカメラの記録メディアの格納容量の大型化に応じて、記録メディアに格納される写真ファイルの数が多くなっていた。格納された写真ファイルの中の任意の写真ファイルが選択されモニタに表示されるが、写真ファイルの数が多い場合表示させる写真ファイルを探すのが大変であった。
【０００４】
このような問題に対し、撮影する日付毎にフォルダを作成し、撮影により画像ファイルを生成した日に対応したフォルダに自動的に格納するカメラが提案されている（特許文献１参照）。格納した画像ファイル一覧をフォルダ毎にモニタに表示することにより、再生する写真ファイルの検索が容易となる。
【０００５】
しかし、あるフォルダに含まれる写真ファイルの一覧図を表示させるときに、他に写真フォルダが格納されているか否かを使用者が判別できず、不便であった。
【特許文献１】特開２００３−３７８０５号公報
【発明の開示】
【発明が解決しようとする課題】
【０００６】
したがって、本発明では、オブジェクトの一覧図において、オブジェクトの検索をさらに容易にさせる画像を作成する一覧図作成システムの提供を目的とする。
【課題を解決するための手段】
【０００７】
本発明の一覧図作成システムは、第１のディレクトリまたは第１のフォルダに含まれるオブジェクトの一覧を示す一覧図を作成する一覧図作成部と、第１のディレクトリと異なる第２のディレクトリまたは第１のフォルダと異なる第２のフォルダが存在するか否かを判別する第１の判別部と、第１の判別部が第２のディレクトリまたは第２のフォルダが存在すると判別した場合に一覧図に第１のディレクトリまたは第１のフォルダの他に同じ階層のディレクトリまたはフォルダが存在することを示す明示情報を作成する明示情報作成部とを備えることを特徴としている。
【０００８】
なお、第２のディレクトリまたは第２のフォルダがオブジェクトを有しているか否かを判別する第２の判別部を備え、明示情報作成部は第２の判別部が第２のディレクトリまたは第２のフォルダがオブジェクトを有している場合に一覧図に明示情報を作成することが好ましい。
【０００９】
また、第１、第２のディレクトリまたは第１、第２のフォルダは、互いに序列を付けられることが好ましい。
【００１０】
また、第２のディレクトリまたは第２のフォルダの序列が第１のディレクトリまたは第１のフォルダの序列より先である場合に作成される明示情報は、存在するディレクトリまたはフォルダが第１のディレクトリまたは第１のフォルダより前方の序列であることを示す前方明示情報であることが好ましい。
【００１１】
また、第２のディレクトリまたは第２のフォルダの序列が第１のディレクトリまたは第１のフォルダの序列より後である場合に作成される明示情報は、存在するディレクトリまたはフォルダが第１のディレクトリまたは第１のフォルダより後方の序列であることを示す後方明示情報であることが好ましい。
【００１２】
また、第１のディレクトリまたは第１のフォルダに含まれるすべてのオブジェクトの数が所定の表示サイズに定められた一覧図に表示可能なオブジェクトの数を超える場合、オブジェクトの一部は第１の一覧図に表示され、オブジェクトの別の一部は第２の一覧図に表示されることが好ましい。
【００１３】
また、第１の一覧図または第２の一覧図が表示されるときに、表示される一覧図の順番を示す順番情報を一覧図に付加する順番情報付加部を備えることが好ましい。
【００１４】
また、オブジェクトは、画像ファイルであることが好ましい。
【００１５】
また、一覧図には、画像ファイルのサムネイルが表示されることが好ましい。
【００１６】
本発明のデジタルカメラは、第１のディレクトリまたは第１のフォルダに含まれるオブジェクトの一覧を示す一覧図を作成する一覧図作成部と、第１のディレクトリと異なる第２のディレクトリまたは第１のフォルダと異なる第２のフォルダが存在するか否かを判別する第１の判別部と、第１の判別部が第２のディレクトリまたは第２のフォルダが存在すると判別した場合に一覧図に第１のディレクトリまたは第１のフォルダの他に同じ階層のディレクトリまたはフォルダが存在することを示す明示情報を作成する明示情報作成部と一覧図または明示情報を付加した一覧図を表示するモニタを備えることを特徴としている。
【００１７】
本発明の一覧図作成プログラムは、第１のディレクトリまたは第１のフォルダに含まれるオブジェクトの一覧を示す一覧図を作成する一覧図作成部と、第１のディレクトリと異なる第２のディレクトリまたは第１のフォルダと異なる第２のフォルダが存在するか否かを判別する第１の判別部と、第１の判別部が第２のディレクトリまたは第２のフォルダが存在すると判別した場合に一覧図に第１のディレクトリまたは第１のフォルダの他に同じ階層のディレクトリまたはフォルダが存在することを示す明示情報を作成する明示情報作成部としてコンピュータを機能させることを特徴としている。
【００１８】
本発明の一覧図作成方法は、第１のディレクトリまたは第１のフォルダに含まれるオブジェクトの一覧を示す一覧図を作成する作成ステップと、第１のディレクトリと異なる第２のディレクトリまたは第１のフォルダと異なる第２のフォルダが存在するか否かを判別する第１の判別ステップと、第１の判別部が第２のディレクトリまたは第２のフォルダが存在すると判別した場合に一覧図に第１のディレクトリまたは第１のフォルダの他に同じ階層のディレクトリまたはフォルダが存在することを示す明示情報を作成する明示情報作成ステップとを備えることを特徴としている。
【発明の効果】
【００１９】
本発明によれば、表示しているディレクトリまたはフォルダとは他のディレクトリまたはフォルダが存在する場合に、他のディレクトリまたはフォルダの存在を示す明示情報を作成可能である。
【発明を実施するための最良の形態】
【００２０】
以下、本発明の実施形態について図面を参照して説明する。
図１は、本発明の一実施形態を適用した一覧図作成システムを有するデジタルカメラの内部構成を概略的に示すブロック図である。
【００２１】
デジタルカメラ１０は、レンズ１１、撮像素子１２、レリーズボタン１３、システムコントローラ（第１の判別部）１４、信号処理回路（一覧図作成部、序列図付加部）１５、モニタ１６、メモリコネクタ１７、およびクロック１９によって構成される。
【００２２】
レンズ１１を透過する被写体の光学像が撮像素子１２の受光面に入射する。使用者がレリーズボタン１３を押下すると、システムコントローラ１４は撮像素子１２を駆動して、撮像素子１２の受光面に入射する光学像が撮像される。光学像の撮像により、光学像に対応する画像信号が生成される。
【００２３】
画像信号は信号処理回路１５に送られ、所定の信号処理が施される。所定の信号処理により、画像信号に対応する画像ファイルが作成される。作成された画像ファイルはモニタ１６またはメモリコネクタ１７に接続される外部メモリ１８に送信される。モニタ１６には、送信された画像ファイルに相当する画像が表示される。また、外部メモリ１８によって、受信する画像ファイルが格納される。
【００２４】
外部メモリ１８には、所定のファイルシステム規格により定められたフォルダ構造が形成される。画像ファイルは、構築されたフォルダ構造の中の特定の階層のフォルダに格納される。
【００２５】
図２に示すように、本実施形態のファイルシステム規格では、ＤＣＩＭフォルダ２０の下位である第１の階層に画像フォルダ（第１、第２のフォルダ）２１が形成される。静止画の撮像時に形成される画像ファイル２２は、画像フォルダ２１に含まれるように格納される。
【００２６】
各々の画像フォルダ２１は８桁のフォルダ名を有している。フォルダ名の上３桁は、１００〜９９９までの間である画像フォルダ２１の連番である。フォルダ名の下４桁は、画像フォルダ２１を作成した月日となるように定められる。例えば、１００番の画像フォルダ２１が７月２４日に作成された場合は、そのフォルダ名は“１００＿０７２４”に決められる。また、１０１番の画像フォルダ２１が７月２５日に作成された場合は、そのフォルダ名は“１０１＿０７２５”に定められる。
【００２７】
画像ファイルは生成された月日に対応する画像フォルダ２１に格納される。また、画像ファイル２２は、生成された順番に４桁の連番（０００１〜ｘｘｘｘ）が付されたファイル名を有している。さらに、本実施形態において、生成される画像ファイル２２はＪＥＰＧ形式であり、ファイル名の拡張子はＪＰＧが付与される。
【００２８】
信号処理回路１５にはクロック１９が接続される。クロック１９により日時が測定される。レリーズボタン１３が押下されるとき、測定された日時がクロック１９からシステムコントローラ１４に読込まれる。システムコントローラ１４により、読込んだ日時を名称に含む画像フォルダ２１が外部メモリ１８内に存在するか否かが確認される。
【００２９】
読込んだ日時を名称に含む画像フォルダ２１が存在しないときには、システムコントローラ１４によって新たな画像フォルダ２１が作成される。新たな画像フォルダ２１の名称は、画像フォルダ２１作成前に外部メモリ１８に存在する最も新しい画像フォルダ２１の連番とクロック１９から読込んだ日時とに基づいて定められる。例えば、新規に画像フォルダ２１を作成する前における最も新しい画像フォルダ２１の連番が１１９であり、読込んだ日時が１０月３１日である場合には、新規に作成される画像フォルダ２１の名称は、“１２０＿１０３１”に定められる。
【００３０】
一方、読込んだ日時を名称に含む画像フォルダ２１が存在するときには、システムコントローラ１４は、作成した画像ファイル２１がその画像フォルダ２１に含まれるように、格納する。
【００３１】
なお、作成された画像フォルダ２１中のすべての画像ファイル２２が削除されるときに、その画像フォルダ２１も同時に削除される。
【００３２】
モニタ１６には撮影した画像そのものだけが表示可能なわけではなく、外部メモリ１８に格納されている画像ファイル２２の一覧図も表示可能である。一覧図を表示するときは、画像フォルダ２１毎に格納している画像ファイル２２のサムネイルが表示される。
【００３３】
例えば、図３に示すように、モニタ１６の表示を一覧図表示に切替えたとき、モニタ１６には外部メモリ１８に格納された画像フォルダ２１の中で最も連番の高い画像フォルダ２１に含まれた画像ファイル２２のサムネイル２３が表示される。単一の一覧図２４には、例えば最大で３×３の合計９個のサムネイル２３までが表示可能である。
【００３４】
図３に示すように、画像フォルダ２１に含まれる画像ファイル２２が９個以下である場合には、単一の一覧図にすべての画像ファイル２２のサムネイル２３が表示される。一方、画像フォルダ２１に含まれる画像ファイル２２が１０個以上である場合には、画像ファイル２２のサムネイル２３は複数の一覧図２４に分割されて、表示される。
【００３５】
なお、表示されるサムネイル２３の中の一つに選択バー２５が付加されて、表示される。選択バー２５が付加されたサムネイル２３は選択されている状態であり、使用者が撮影画像を表示する入力をすることにより、一覧図の表示から選択されたサムネイル２３の画像の全画面表示に切替えられる。
【００３６】
例えば、画像フォルダ２１に含まれる画像ファイル２２が１４個である場合には、ファイル名の連番が最初から９番目までの画像ファイル２２のサムネイル２３が１番目の一覧図２４ａに表示され（図４参照）、残りの１０番目から１４番目の連番である画像ファイル２１のサムネイル２３が２番目の一覧図２４ｂに表示される（図５参照）。
【００３７】
なお、一覧図２４の右下の角には、順序番号像２７が表示される（図３〜図５参照）。サムネイル２３が選択されている画像ファイル２２の連番に応じた順番が、一覧図２４を表示している画像フォルダ２１に格納されている画像ファイル２２の個数とともに、順序番号像２７として表示される。
【００３８】
例えば、図３の例においては、一覧図２４が表示されている画像フォルダ２１には４個の画像ファイル２２が格納されており、また、連番が２番目であるサムネイル２３が選択されている。したがって、４個の画像ファイル２１の中の２番目のサムネイル２３が選択されていることを示すために、“２／４”のような順序番号像２７が表示される。
【００３９】
また、図４、図５の例においては、一覧図２４が表示されている画像フォルダ２１には１４個の画像ファイル２２が格納されており、また連番がそれぞれ４番目、１４番目のサムネイル２３が選択されている。したがって、図３と同様に、図４、図５では、それぞれ順序番号像２７として“４／１４”、“１４／１４”が表示される。
【００４０】
また、モニタ１６に表示中の一覧図２４の画像フォルダ２１以外の画像フォルダ２１が外部メモリ１８に存在する場合には、他の画像フォルダ２１が存在することを明示する指標２６ａ、２６ｂが一覧図２４の上側および／または下側に表示される。
【００４１】
図６に示すように、表示中の一覧図２４の画像フォルダ２１より小さい連番の画像フォルダが存在する場合には、上側指標２６ａが一覧図２４の上側に表示される。また、表示中の一覧図２４の画像フォルダ２１より大きい連番の画像フォルダ２１が存在する場合には、下側指標２６ｂが一覧図２４の下側に表示される。なお、外部メモリ１８に形成される画像フォルダ２１が単一である場合には、上側指標２６ａも下側指標２６ｂも表示されない（図３〜図５参照）。
【００４２】
次に、デジタルカメラ１０の動作について説明する。デジタルカメラ１０は、撮影モードおよび再生モードを有する。デジタルカメラ１０が撮影モードであるとき、被写体を撮像することが出来る。また、再生モードであるとき、撮像した画像または一覧図２４がモニタ１６に表示される。
【００４３】
撮影モードにおいてシステムコントローラ１４および信号処理回路１５によって行なわれる処理について、図７のフローチャートを用いて説明する。また、再生モードにおける一覧図２４の表示を行うときのシステムコントローラ１４および信号処理回路１５によって行なわれる処理について図８〜図１０のフローチャートを用いて説明する。
【００４４】
デジタルカメラ１０の動作モードを撮影モードに切替えるときに、被写体の撮像のための処理が始まる。なお、デジタルカメラ１０の動作モードが他の動作モードに切替わるとき、またはデジタルカメラ１０の電源がＯＦＦに切替えられるときに、被写体の撮像のための処理は終了する。
【００４５】
ステップＳ１００において、システムコントローラ１４はレリーズボタン１３が押下されるか否かを判別する。レリーズボタン１３が押下されていない場合は、押下されるまでステップＳ１００を繰返す。レリーズボタン１３が押下されると、ステップＳ１０１に進む。
【００４６】
ステップＳ１０１では、システムコントローラ１４が現在の日時をクロック１９から読込む。日時を読込むと、ステップＳ１０２において、撮像素子１２が生成した画像信号に基づいて、信号処理回路１５は画像ファイル２２を作成する。
【００４７】
画像ファイル２２を作成すると、ステップＳ１０３に進む。ステップＳ１０３では、システムコントローラ１４は外部メモリ１８内に、ステップＳ１０３で読込んだ現在の日付を含む名称の画像フォルダ２１が存在するか否かを確認する。
【００４８】
現在の日付を含む名称の画像フォルダ２１が存在しない場合は、ステップＳ１０４に進む。ステップＳ１０４では、外部メモリ１８に存在する画像フォルダ２１の中の最新の連番と現在の日付に基づいて、システムコントローラ１４は画像フォルダ２１を外部メモリ１８に形成する。
【００４９】
画像フォルダ２１を新規に形成した後、ステップＳ１０５に進む。また、ステップＳ１０３において、現在の日付を含む名称の画像フォルダ２１が外部メモリ１８に存在することを確認したときには、ステップＳ１０４をスキップしてステップＳ１０５に進む。
【００５０】
ステップＳ１０５では、信号処理回路１５はステップＳ１０２で作成した画像ファイル２２を、前述のように、現在の日付を含む名称の画像フォルダ２１に含めるように、格納する。
【００５１】
デジタルカメラ１０の再生モードにおいて使用者が一覧図を表示する操作を入力するときに、一覧図表示のための処理が始まる。なお、デジタルカメラ１０の動作モードが他の動作モードに切替わるとき、またはデジタルカメラ１０の電源がＯＦＦに切替えられるときに、一覧図表示の処理は終了する。
【００５２】
ステップＳ２００において、システムコントローラ１４は外部メモリ１８内に形成される画像フォルダ２１の中で選択されている画像フォルダ２１に格納されている画像ファイル２２の個数Ｎｏ．ｔ、および選択されている画像ファイル２２の順番Ｎｏ．ｆｉを検知する。なお、再生モードにおいて一覧図表示に切替えられた直後は、連番の最も高い画像フォルダ２１および当該画像フォルダ２１に格納された画像ファイル２２の中で連番が最も高い画像ファイル２２が選択される。
【００５３】
ステップＳ２０１では、選択された画像ファイル２２を含む一覧図２４を作成する。なお、（９×ｎ−８）≦Ｎｏ．ｆｉ≦９×ｎ（ｎは正の整数）を満たすｎに対して、（９×ｎ−８）〜９×ｎの９個の画像ファイル２２のサムネイル２３を含む一覧図２４が作成される。また、選択されている画像ファイル２２のサムネイル２３の横に選択バー２５を付加する。
【００５４】
なお、画像ファイル２２の個数Ｎｏ．ｔが９の倍数でない、すなわち、Ｎｏ．ｔが９×ｎ＋ａ（ａは１〜８の整数）を満たし、選択された画像ファイルの順番が最後の一覧図に含まれる順番である、すなわち、Ｎｏ．ｆｉが９×ｎ＋ｂ（ｂはａ以下の整数）である場合には、ａ個の画像ファイル２２のサムネイルを含む一覧図２４が作成される。
【００５５】
ステップＳ２００で検出した画像フォルダ２１中の画像ファイルの個数Ｎｏ．ｔおよび選択されている画像ファイル２２の順番Ｎｏ．ｆｉに基づいて、“Ｎｏ．ｆｉ／Ｎｏ．ｔ”で表される順序番号像２７を作成する。
【００５６】
順序番号像２７を作成するとステップＳ３００に進み、上側指標作成のサブルーチンを実行する。図９に示すように、上側指標作成のサブルーチンＳ３００を開始すると、ステップＳ３０１において、画像フォルダ２１中の画像ファイル２２の個数Ｎｏ．ｔが９以下であるか否かを判別する。９を超える場合ステップＳ３０２に進み、９以下である場合にはステップＳ３０２をスキップしてステップＳ３０３に進む。
【００５７】
ステップＳ３０２では、ステップＳ２０１で作成した一覧図２４が、選択された画像フォルダ２１の中で先頭ページ、すなわち１〜９番目の画像ファイル２２のサムネイル２３を含むか否かを判別する。先頭ページである場合、ステップＳ３０３に進む。
【００５８】
ステップＳ３０３では、画像フォルダ２１の連番Ｎｏ．ｆｏを検出して、ステップＳ３０４に進む。ステップＳ３０４では、外部メモリ１８に検出した画像フォルダ２１の連番Ｎｏ．ｆｏより低い連番の画像フォルダ２１が存在するか否かを判別する。低い連番の画像フォルダ２１が存在する場合は、ステップＳ３０５に進む。
【００５９】
ステップＳ３０５では、上側指標２６ａを作成して、上側指標作成のサブルーチンＳ３００を終了する。なお、ステップＳ３０２において一覧図２４が先頭ページでない場合、あるいはステップＳ３０４において低い連番の画像フォルダ２１が存在しない場合には、上側指標２６ａを作成せずに、上側指標作成のサブルーチンＳ３００を終了する。上側指標作成のサブルーチンの終了後、ステップＳ４００に進む(図８参照)。
【００６０】
ステップＳ４００に進み、下側指標作成のサブルーチンを実行する。図１０に示すように、下側指標作成のサブルーチンＳ４００を開始すると、ステップＳ４０１において、画像フォルダ２１中の画像ファイル２２の個数Ｎｏ．ｔが９以下であるか否かを判別する。９を超える場合ステップＳ４０２に進み、９以下である場合ステップＳ４０３をスキップしてステップＳ４０３に進む。
【００６１】
ステップＳ４０２では、ステップＳ２０１で作成した一覧図２４が、選択された画像フォルダ２１の中で最終ページ、すなわち連番が最後である画像ファイル２２のサムネイル２３を含むか否かを判別する。最終ページである場合、ステップＳ４０３に進む。
【００６２】
ステップＳ４０３では、画像フォルダ２１の連番Ｎｏ．ｆｏを検出して、ステップＳ４０４に進む。ステップＳ４０４では、外部メモリ１８に検出した画像フォルダ２１の連番Ｎｏ．ｆｏより高い連番の画像フォルダ２１が存在するか否かを判別する。高い連番の画像フォルダ２１が存在する場合は、ステップＳ４０５に進む。
【００６３】
ステップＳ４０５では、下側指標２６ｂを作成して、下側指標作成のサブルーチンＳ４００を終了する。なお、ステップＳ４０２において一覧図２４が最終ページでない場合、あるいはステップＳ４０４においてより高い連番の画像フォルダ２１が存在しない場合には、下側指標２６ａを作成せずに、下側指標作成のサブルーチンＳ４００を終了する。下側指標作成のサブルーチンの終了後、ステップＳ２０３に進む(図８参照)。
【００６４】
ステップＳ２０３では、ステップＳ２０１で作成した一覧図２４およびステップＳ２０２で作成した順序番号像２７を、モニタ１６に表示させる。また、上側指標作成のサブルーチンＳ３００において上側指標２６ａを作成した場合は上側指標２６ａも、モニタ１６に表示させる。また、下側指標作成のサブルーチンＳ４００において下側指標２６ａを作成した場合は下側指標２６ｂも、モニタ１６に表示させる。
【００６５】
次のステップＳ２０４において、画像フォルダ２１または画像ファイル２１の選択を切替える入力があるか否かを判別する。画像フォルダ２１の切替え入力が無い場合は、ステップＳ２０３に戻る。
【００６６】
画像フォルダ２１または画像ファイル２２の切替え入力がある場合には、ステップＳ２０５に進む。ステップＳ２０５では、ステップＳ２０４における切替え入力に応じて画像フォルダ２１または画像ファイル２２を選択する。画像フォルダ２１または画像ファイル２２の選択を終了して、ステップＳ２００に戻る。
【００６７】
以上のように、本実施形態の一覧図作成システムによれば、画像フォルダ２１毎に一覧図２４を作成し、他の画像フォルダ２１がある場合には指標２６ａ、２６ｂが表示される。したがって、使用者は指標２６ａ、２６ｂの存在によって他の画像フォルダ２１があるか否かを判断できるので、画像ファイル２２をより容易に検索可能となる。
【００６８】
また、画像ファイル２２の検索が画像フォルダ２１毎に行なわれるので、全画像フォルダ２１に格納されている全画像ファイル２２の同時検索をする場合に比べて、検索時間が短縮化される。したがって、使用者はより快適に画像ファイル２２を検索可能となる。
【００６９】
なお、本実施形態では、デジタルカメラ１０のモニタ１６に表示する一覧図を作成する構成であるが、本発明はファイルを階層化したフォルダまたはディレクトリに格納し、フォルダまたはディレクトリ毎に格納されたデータの一覧図を表示するいかなる機器にも適用可能である。例えば、パソコンにも適用可能である。
【００７０】
また、本実施形態では、画像ファイル２２を画像フォルダ２１に含ませ、画像フォルダ２１毎の一覧図２４を作成する構成であるが、フォルダに含まれるファイルは画像ファイル２１に限られない。例えば、テキストファイルであっても、音楽ファイルであってもよい。
【００７１】
また、本実施形態では、画像フォルダ２１に含まれる画像ファイル２２のサムネイル２３を有する一覧図が作成される構成であるが、サムネイル２３でなくてもよい。例えば、画像ファイル２２のファイル名などを含む一覧図が作成されてもよい。
【００７２】
また、本実施形態では、上側指標２６ａおよび下側指標２６ｂはモニタ１６の上辺および下辺の中央付近に表示される構成であるが、いずれの場所であってもよい。
【００７３】
また、本実施形態では、表示している一覧図２４の画像フォルダ２１以外の画像フォルダ２１が存在するときに、上側指標２６ａまたは下側指標２６ｂが作成され一覧図２４に付加される構成であるが、付加されるのは指標に限られない。他の画像フォルダ２１の存在を使用者に通知し得る情報であれば、いかなる形態の情報（明示情報）が作成されてもよい。例えば、モニタ２６上に表示される文字や記号であってもよく、または音声情報やモニタ外において発行させるランプのような視覚情報が作成されてもよい。
【００７４】
また、本実施形態では、画像フォルダ２１内のすべての画像ファイル２２を消去すると、その画像フォルダ２１も消去される構成であるが、消去しなくてもよい。なお、画像フォルダ２１を自動的に消去しない場合には、一覧図２４を作成するときに画像ファイル２２を有さない画像フォルダ２１が存在することがある。そこで、画像フォルダ２１を消去しない構成において、一覧図２４が表示されている画像フォルダ２１の他の画像フォルダ２１が存在し、かつ画像フォルダ２１に画像ファイル２２が含まれているとシステムコントローラ（第２の判別部）が判断した場合に、上側指標２６ａまたは下側指標２６ｂが表示されることが好ましい。
【００７５】
また、本実施形態では、各画像フォルダ２１の名称には、画像フォルダ２１の序列を定める連番および撮像日が含まれる構成であるが、名称に撮影日を含めなくてもよい。例えば、画像フォルダ２１の一部のデータに序列を定めるデータを含ませてもよい。
【００７６】
また、本実施形態において、単一の一覧図２４に表示可能な画像ファイル２２の数（９個）以上の画像ファイル２２が画像フォルダ２１に含まれる場合は、複数の一覧図２４に表示させる構成であるが、単一の一覧図２４に表示させてもよい。上側指標２６ａまたは下側指標２６ｂを作成して表示することにより、他の画像フォルダ２１の存在を通知可能であれば、本実施形態と同様の効果を得ることが可能である。
【００７７】
また、本実施形態において、一覧図２４には３×３の最大で合計９個のサムネイル２３を表示可能な構成であるが、例えば、２×２や４×４などのように表示される合計のサムネイル２３の数は９個に限られない。
【００７８】
また、本実施形態では、順序番号像２７が作成され、一覧図２４に付加されて、表示される構成であるが、表示する一覧図２４の順番を示唆可能な情報であれば、いかなる情報を表示してもよい。例えば、スクロールバーなどによって表示する一覧図２４が全体の中の何ページであるかを表示してもよい。
【００７９】
また、本実施形態を適用した一覧図作成システムは、階層化したフォルダまたはディレクトリにオブジェクトを含ませるファイル構造を取扱うコンピュータに一覧図作成プログラムを読込ませて構成することも可能である。
【図面の簡単な説明】
【００８０】
【図１】本発明の一実施形態を適用した一覧図作成システムを有するデジタルカメラの内部構成を概略的に示すブロック図である。
【図２】外部メモリに形成されるフォルダ構造を示す図である。
【図３】画像フォルダの単一の一覧図がモニタに表示された状態を示す図である。
【図４】画像フォルダの１番目の一覧図がモニタに表示された状態を示す図である。
【図５】画像フォルダの２番目の一覧図がモニタに表示された状態を示す図である。
【図６】一覧図とともに上側指標および下側指標がモニタに表示された状態を示す図である。
【図７】撮影モードにおけるシステムコントローラおよび信号処理回路が行なう各処理を説明するためのフローチャートである。
【図８】再生モードにおいて一覧図を表示するときのシステムコントローラ１４および信号処理回路１５が行なう各処理を説明するためのフローチャートである。
【図９】上側指標作成のサブルーチンにおける各処理を説明するためのフローチャートである。
【図１０】下側指標作成のサブルーチンにおける各処理を説明するためのフローチャートである。
【符号の説明】
【００８１】
１０  デジタルカメラ
１４  システムコントローラ
１５  信号処理回路
１６  モニタ
１８  外部メモリ
１９  クロック
２０  ＤＣＩＭフォルダ
２１  画像フォルダ
２２  画像ファイル
２３  サムネイル
２４、２４ａ、２４ｂ  一覧図、１番目の一覧図、２番目の一覧図
２５  選択バー
２６ａ、２６ｂ  上側指標、下側指標
２７  順序番号像
【図１】
0005033680.tif 000002
【図２】
0005033680.tif 000003
【図３】
0005033680.tif 000004
【図４】
0005033680.tif 000005
【図５】
0005033680.tif 000006
【図６】
0005033680.tif 000007
【図７】
0005033680.tif 000008
【図８】
0005033680.tif 000009
【図９】
0005033680.tif 000010
【図１０】
0005033680.tif 000011